【手続補正書】
【提出日】平成16年8月5日(2004.8.5)
【手続補正１】
【補正対象書類名】明細書
【補正対象項目名】特許請求の範囲
【補正方法】変更
【補正の内容】
【特許請求の範囲】
【請求項１】
閉じた下端部と開口した上端部とを有するほぼ円筒形の外側コンテナ本体（１２）と、
該コンテナ本体に解放可能に固定され、前記開口上端部を閉じる上蓋（２２）と、
開口した上端部を閉じるための蓋（２６）を有し、ほぼ同心状に前記外側コンテナ本体内に配置され、放射性物質を収納した少なくとも１つの筒型容器（１６）を受け入れる、ほぼ円筒形の内側収容容器（１４）と、
前記外側コンテナ本体と前記内側収容容器との間の発泡材料（１９）と、
を含み、
前記内側収容容器は、前記開口端部の周りに外向きのフランジ（３０）を有し、
前記内側収容容器の外側面と前記フランジの下面との間に、前記フランジを補強するための複数の補強ガセット（３２）が周方向に間隔を置いて配置され、
前記蓋及び前記フランジは、前記蓋及び前記フランジを互いに締結するための協働する締結要素（３６）を有する、
ことを特徴とする、放射性物質用の輸送コンテナ（１０）。
【請求項２】
前記蓋と前記フランジとの間に配置された耐熱性、耐火性材料で形成されたガスケット（２１）を含み、前記発泡材料は自己消火性、難燃性材料であることを特徴とする、請求項１に記載の輸送コンテナ。
【請求項３】
閉じた下端部と開口した上端部とを有するほぼ円筒形の外側コンテナ本体（１２）と、
該コンテナ本体に解放可能に固定され、前記上端部を閉じる上蓋（２２）と、  開口した上端を閉じるための蓋（２６）を有し、ほぼ同心状に前記外側コンテナ本体内に配置され、放射性物質を収納した少なくとも１つの筒型容器を受け入れる、ほぼ円筒形の内側収容容器（１４）と、
前記外側コンテナ本体と前記内側収容容器との間の発泡材料（１９）と、
を含み、
前記内側収容容器は、該内側収容容器を前記外側コンテナ本体内にほぼ同心状に保持するために、該容器から前記外側コンテナ本体に向かって外向きに突出し前記発泡材料の中に延びる複数のロッド（２８）を含む、
ことを特徴とする、放射性物質用輸送コンテナ。
【請求項４】
前記ロッドは、前記容器の前記上下端部の近くから、互いに周方向に間隔をもってほぼ半径方向に突出していることを特徴とする、請求項３に記載の輸送コンテナ。
【請求項５】
閉じた下端部と開口した上端部とを有するほぼ円筒形の外側コンテナ本体（１２）と、
該コンテナ本体に解放可能に固定され、前記開口上端を閉じる上蓋（２２）と、
開口した上端部を閉じるための蓋（２６）を有し、ほぼ同心状に前記外側コンテナ本体内に配置され、放射性物質を収納した少なくとも１つの筒型容器（１６）を受け入れる、ほぼ円筒形の内側収容容器（１４）と、
前記外側コンテナ本体と前記内側収容容器との間の発泡材料（１９）と、
前記内側収容容器の前記蓋と前記外側コンテナ本体用の前記上蓋との間で前記内側収容容器を覆い、上下の金属シート（４２、４４）とセラミック繊維ボードパネルとの間に配置された発泡材料（４０）を含む、前記外側コンテナ本体用の内部ダンネージ（１８）と、
前記外側コンテナ本体内で前記内側収容容器の下に位置し、前記内側収容容器の閉じた下端部と前記外側コンテナ本体の閉じた下端部との間に配置された発泡材料（５０）を含む、内部ダンネージ（２０）と、
を含むことを特徴とする、放射性物質用の輸送コンテナ。
【請求項６】
前記外側コンテナ本体は、前記上蓋の近くに該上蓋を貫通しブラケットに係合するボルト（６４）を受けるように周状に間隙を有して配置された複数のボルトブラケット（６３）を有することを特徴とする、請求項５に記載の輸送コンテナ。
【請求項７】
閉じた下端部と開口した上端部とを有するほぼ円筒形の外側コンテナ本体（１２）と、
該コンテナ本体に解放可能に固定され、前記開口上端部を閉じる上蓋（２２）と、
蓋（２６）を有し、ほぼ同心状に前記外側コンテナ本体内に配置され、放射性物質を収納した少なくとも１つの筒型容器（１６）を受け入れる、ほぼ円筒形の内側収容容器（１４）と、
前記内側収容容器の周りで前記外側コンテナ本体の内側に配置された中性子吸収材料（２９）と、
を含むことを特徴とする、放射性物質用の輸送コンテナ（１０）。
【請求項８】
前記外側コンテナ本体と前記内側収容容器との間に発泡材料（１９）を含み、前記内側収容容器が、該内側収容容器を前記外側コンテナ本体内にほぼ同心状に保持するために、前記容器から前記外側コンテナ本体に向かって外向きに突出し前記発泡材料の中に延びる複数のロッド（２８）を含むことを特徴とする、請求項７に記載の輸送コンテナ。
【請求項９】
閉じた下端部と開口した上端部とを有するほぼ円筒形の外側コンテナ本体（１２）と、
該コンテナ本体に解放可能に固定され、前記開口上端部を閉じる上蓋（２２）と、
開口した上端部を閉じるための蓋（２６）を有し、ほぼ同心状に前記外側コンテナ本体内に配置され、放射性物質を収納した少なくとも１つの筒型容器（１６）を受け入れる、ほぼ円筒形の内側収容容器（１４）と、
前記外側コンテナ本体と前記内側収容容器との間の耐熱性、難燃性の発泡材料（１９）と、
前記外側コンテナ本体の複数の通気孔（８０）と、該通気孔を密閉し所定の温度に応答して該通気孔を開口するプラグ（８２）と、
を含むことを特徴とする、放射性物質用の輸送コンテナ。
【請求項１０】
前記内側収容容器の前記蓋と前記外側コンテナ本体用の前記上蓋との間で前記内側収容容器を覆い、上下の金属シート（４２、４４）とセラミック繊維ボードパネルとの間に配置された耐熱性、難燃性の発泡材料（４０）を含む、前記外側コンテナ本体用の内部ダンネージ（１８）と、前記外側コンテナ本体内で前記内側収容容器の下に位置し、前記内側収容容器の閉じた下端部と前記外側コンテナ本体の閉じた下端部との間に配置された発泡材料（５０）及びセラミック繊維ボードパネルを含む、内部ダンネージ（２０）と、を含むことを特徴とする、請求項９に記載の輸送コンテナ。
【請求項１１】
閉じた下端部と開口した上端部とを有するほぼ円筒形の外側コンテナ本体（１２）と、放射性物質の筒型容器（１６）を受け入れるための内側収容容器（１４）と、を含む放射性物質輸送用の容器（１０）を製造する方法であって、
前記外側コンテナ本体の前記下端部（２０）を断熱材で内張りをする段階と、
前記内側収容容器の周縁より横方向外側の周縁部を有する蓋部材（１２４）により前記内側収容容器の上部を閉じる段階と、
前記内側収容容器の外側壁と前記外側コンテナ本体の内側壁との間にほぼ環状の空間を形成するように、前記内側収容容器を前記外側コンテナ本体の中に配置する段階と、
前記蓋部材の少なくとも１つの開口部を通して前記環状空間に自己消火性、難燃性の発泡材料（１９）を注入する段階と、
を含むことを特徴とする方法。
【請求項１２】
前記外側コンテナ本体に通気孔（８０）を形成する段階を含むことを特徴とする、請求項１１に記載の方法。
【請求項１３】
前記発泡材料で包み込むための前記環状空間の中に突出するように前記内側収容容器の前記壁に突出部分（２８）を配置し、これによって、前記内側収容容器を前記外側コンテナ本体に対して固定する段階を含むことを特徴とする、請求項１１又は請求項１２に記載の方法。
【手続補正２】
【補正対象書類名】明細書
【補正対象項目名】０００５
【補正方法】変更
【補正の内容】
【０００５】
この形式の容器に対する安全の全体的規制目標は、原則的に特殊核物質輸送中の臨界事故のいかなる可能性をも確実に回避することである。海外及び米国内の規制要件では、特殊核物質用の輸送コンテナは、落下試験、耐火試験、耐水試験など多数の試験を受け、認可の裏付けとすべく提出される安全解析の際にその試験結果が必ず考慮されるよう定めている。
【特許文献１】特開平０３−１４７１００号公報